(57)【要約】【課題】照明色を順次に切換えて画像検出する画像読取装置においても、適正にスミア補正を行えるようにする【解決手段】受光素子をライン状に並べた受光部と電荷転送部とを有する光センサによって、光源ＬＳからの照明光が照射される画像読取対象物１の像を読取る画像読取装置ＦＳから出力される画像データのスミアの成分を補正するの画像データ補正装置において、前記画像読取装置ＦＳの前記光源ＬＳは、複数の照明色を順次に繰り返して切換えるように構成され、前記受光素子から前記電荷転送部に電荷を転送する際に、既に前記電荷転送部における転送先の位置に蓄積されていた電荷による既存信号成分と、前記電荷転送部において転送される過程で新たに蓄積される電荷による追加信号成分とを求めて、補正対象の画像データの補正する。【選択図】図１
2007201553.tif 000002
【特許請求の範囲】
【請求項１】
受光素子をライン状に並べて配列した受光部と前記受光素子夫々からの転送動作によって受け取った電荷を転送出力する電荷転送部とを有する光センサによって、光源からの照明光が照射される画像読取対象物の像を読取る画像読取装置から出力される画像データを補正するために、前記電荷転送部に蓄積される電荷のうちの、前記転送動作によって正規に前記受光素子から前記電荷転送部へ転送される電荷以外の不正電荷による信号成分を補正するための補正用データを求める補正用データ演算部と、前記補正用データにて各画像データを補正する補正処理演算部とが備えられ、
前記補正用データ演算部は、撮像のために有効な複数の受光素子に生成された電荷が前記電荷転送部へ転送された後、前記電荷転送部において前記複数の受光素子から受け取った電荷の転送動作に追加して実行される追加転送動作によって出力される信号により得られるデータにより前記補正用データを求めるように構成された画像読取装置用の画像データ補正装置であって、
前記画像読取装置の前記光源は、複数の照明色を順次に繰り返して切換えるように構成され、
前記電荷転送部は、前記受光素子の並びの１ライン分の検出信号を、前記照明色の切換えと同期して転送出力するように構成され、
前記補正処理演算部は、
補正対象の画像データを生成した照明色と同じ照明色について出力され且つ画像上での位置が補正対象の画像データの近くに位置する前記同じ照明色での１ライン分の画像データである先行ラインデータに基づいて、前記不正電荷を実効的に生成させた光強度の前記受光素子の並び方向に沿った分布を示す先行光量分布データを求めると共に、
補正対象の画像データを生成した電荷を前記電荷転送部にて転送しているときの照明色と同じ照明色について出力され且つ画像上での位置が補正対象の画像データの近くに位置する前記同じ照明色での１ライン分の画像データである後続ラインデータに基づいて、前記不正電荷を実効的に生成させた光強度の前記受光素子の並び方向に沿った分布を示す後続光量分布データを求め、
補正対象の画像データに対応する前記受光素子の並び位置情報と、補正対象の画像データを生成した照明色と同じ照明色の照明光の照射下で且つ画像上での位置が補正対象の画像データの近くに位置する１ラインにおける前記追加転送動作によって求められた前記補正用データである先行補正用データと、前記先行光量分布データとに基づいて、前記受光素子から前記電荷転送部に電荷を転送する際に、既に前記電荷転送部における転送先の位置に蓄積されていた電荷による既存信号成分を、前記先行光量分布データにおける総積算信号量に対する前記先行光量分布データにおける前記電荷転送部の転送始端側の端部位置から前記並び位置情報で特定される位置までの積算信号量の割合と前記先行補正用データとによって求め、
補正対象の画像データに対応する前記受光素子の並び位置情報と、補正対象の画像データを生成した電荷を前記電荷転送部にて転送しているときの照明色と同じ照明色の照明光の照射下で且つ画像上での位置が補正対象の画像データの近くに位置する１ラインにおける前記追加転送動作によって求められた前記補正用データである後続補正用データと、前記後続光量分布データとに基づいて、前記電荷転送部において転送される過程で新たに蓄積される電荷による追加信号成分を、前記後続光量分布データにおける総積算信号量に対する前記後続光量分布データにおける前記並び位置情報で特定される位置から前記電荷転送部の転送後端側の端部位置までの積算信号量の割合と前記後続補正用データとによって求め、
前記既存信号成分と前記追加信号成分とを足し合わせたデータによって、補正対象の画像データの補正するように構成されている画像読取装置用の画像データ補正装置。
【請求項２】
前記画像読取装置の前記光センサは、１ラインの受光素子の並びによって構成され、
前記画像読取装置の前記光源は、青色光，緑色光及び赤色光の各照明色、又は、赤外光，青色光，緑色光及び赤色光の各照明色を順次に繰り返して切換えるように構成されている請求項１記載の画像読取装置用の画像データ補正装置。
【請求項３】
前記画像読取装置の前記光センサは、夫々青色光成分，緑色光成分及び赤色光成分を検出する３ラインの受光素子の並びによって構成され、
前記３ラインの受光素子の並びうち、少なくとも１ラインの受光素子の並びは赤外光に対して感度を有するように構成され、
前記画像読取装置の前記光源は、赤外光及び白色光の各照明色を順次に繰り返して切換えるように構成されている請求項１記載の画像読取装置用の画像データ補正装置。
【請求項４】
前記補正演算処理部は、前記先行光量分布データ又は前記後続光量分布データのうちの前記白色光についての光量分布データを、前記受光素子のラインが検出を担当する色成分に対応する前記先行ラインデータ又は前記後続ラインデータの他に、他の２色の色成分に対応する前記先行ラインデータ又は前記後続ラインデータをも含めて、それらのデータに色成分毎に設定した寄与の割合を乗算したものを足し合わせて求めるように構成されている請求項３記載の画像読取装置用の画像データ補正装置。
【発明の詳細な説明】
【技術分野】
【０００１】
本発明は、受光素子をライン状に並べて配列した受光部と前記受光素子夫々からの転送動作によって受け取った電荷を転送出力する電荷転送部とを有する光センサによって、光源からの照明光が照射される画像読取対象物の像を読取る画像読取装置から出力される画像データを補正するために、前記電荷転送部に蓄積される電荷のうちの、前記転送動作によって正規に前記受光素子から前記電荷転送部へ転送される電荷以外の不正電荷による信号成分を補正するための補正用データを求める補正用データ演算部と、前記補正用データにて各画像データを補正する補正処理演算部とが備えられ、前記補正用データ演算部は、撮像のために有効な複数の受光素子に生成された電荷が前記電荷転送部へ転送された後、前記電荷転送部において前記複数の受光素子から受け取った電荷の転送動作に追加して実行される追加転送動作によって出力される信号により得られるデータにより前記補正用データを求めるように構成された画像読取装置用の画像データ補正装置に関する。
【背景技術】
【０００２】
例えばＣＣＤラインセンサあるいはＣＣＤイメージセンサ等の光センサでは、受光素子への入射光によって生成された電荷を電荷転送部に転送した後、電荷転送部での転送動作によって各受光素子の検出信号を取り出す際に、例えば受光素子に強い光が入射して発生した電荷が電荷転送部にあふれ出したり、あるいは、電荷転送部に形成した遮光膜を透過して電荷を発生させたりする等して、受光素子から正規の転送タイミングで受け取った電荷以外の電荷（前記不正電荷）が電荷転送部に混入してしまうことによって、異常な画像データが生成されてしまういわゆるスミアという現象が発生する場合がある。
従来、このスミア現象による撮像画質の劣化を抑制するため、下記特許文献１に記載のように、遮光された受光素子から読出したデータを平均して補正用データを求め、通常の有効画素（光学像が結像される画素）の画像データからその補正用データを減算する補正処理を実行することが考えられている。
更に、上記補正用データを求めるための基礎となるデータとして、下記特許文献１のような遮光された画素からの出力データを用いるのではなく、受光素子から正規に受け取った電荷を転送する転送動作に追加して転送動作（空転送）を行い、その空転送によって出力されたデータを平均することで前記補正用データを求めることも考えられている。
この空転送は、実際には対応する受光素子が存在しない位置からの転送動作であるが、強い光が当たって電荷があふれ出している受光素子の位置を通過するときに、あふれ出した電荷を受け取って転送して行くことになる。
【特許文献１】特開２０００−３５００３２号公報
【発明の開示】
【発明が解決しようとする課題】
【０００３】
上記従来構成に記載のような取扱いでは、スミアの補正として適切でない場合もある。
すなわち、画像読取対象物に光源から照射する照明光の照明色が順次に繰り返して切換えられ、各照明色について１ライン分の画像データを出力するような読取り形式をとる場合である。
本発明は、かかる実情に鑑みてなされたものであって、その目的は、このような場合にも、適正にスミア補正を行えるようにする点にある。
【課題を解決するための手段】
【０００４】
本出願の第１の発明は、受光素子をライン状に並べて配列した受光部と前記受光素子夫々からの転送動作によって受け取った電荷を転送出力する電荷転送部とを有する光センサによって、光源からの照明光が照射される画像読取対象物の像を読取る画像読取装置から出力される画像データを補正するために、前記電荷転送部に蓄積される電荷のうちの、前記転送動作によって正規に前記受光素子から前記電荷転送部へ転送される電荷以外の不正電荷による信号成分を補正するための補正用データを求める補正用データ演算部と、前記補正用データにて各画像データを補正する補正処理演算部とが備えられ、前記補正用データ演算部は、撮像のために有効な複数の受光素子に生成された電荷が前記電荷転送部へ転送された後、前記電荷転送部において前記複数の受光素子から受け取った電荷の転送動作に追加して実行される追加転送動作によって出力される信号により得られるデータにより前記補正用データを求めるように構成された画像読取装置用の画像データ補正装置において、前記画像読取装置の前記光源は、複数の照明色を順次に繰り返して切換えるように構成され、前記電荷転送部は、前記受光素子の並びの１ライン分の検出信号を、前記照明色の切換えと同期して転送出力するように構成され、前記補正処理演算部は、補正対象の画像データを生成した照明色と同じ照明色について出力され且つ画像上での位置が補正対象の画像データの近くに位置する前記同じ照明色での１ライン分の画像データである先行ラインデータに基づいて、前記不正電荷を実効的に生成させた光強度の前記受光素子の並び方向に沿った分布を示す先行光量分布データを求めると共に、補正対象の画像データを生成した電荷を前記電荷転送部にて転送しているときの照明色と同じ照明色について出力され且つ画像上での位置が補正対象の画像データの近くに位置する前記同じ照明色での１ライン分の画像データである後続ラインデータに基づいて、前記不正電荷を実効的に生成させた光強度の前記受光素子の並び方向に沿った分布を示す後続光量分布データを求め、補正対象の画像データに対応する前記受光素子の並び位置情報と、補正対象の画像データを生成した照明色と同じ照明色の照明光の照射下で且つ画像上での位置が補正対象の画像データの近くに位置する１ラインにおける前記追加転送動作によって求められた前記補正用データである先行補正用データと、前記先行光量分布データとに基づいて、前記受光素子から前記電荷転送部に電荷を転送する際に、既に前記電荷転送部における転送先の位置に蓄積されていた電荷による既存信号成分を、前記先行光量分布データにおける総積算信号量に対する前記先行光量分布データにおける前記電荷転送部の転送始端側の端部位置から前記並び位置情報で特定される位置までの積算信号量の割合と前記先行補正用データとによって求め、補正対象の画像データに対応する前記受光素子の並び位置情報と、補正対象の画像データを生成した電荷を前記電荷転送部にて転送しているときの照明色と同じ照明色の照明光の照射下で且つ画像上での位置が補正対象の画像データの近くに位置する１ラインにおける前記追加転送動作によって求められた前記補正用データである後続補正用データと、前記後続光量分布データとに基づいて、前記電荷転送部において転送される過程で新たに蓄積される電荷による追加信号成分を、前記後続光量分布データにおける総積算信号量に対する前記後続光量分布データにおける前記並び位置情報で特定される位置から前記電荷転送部の転送後端側の端部位置までの積算信号量の割合と前記後続補正用データとによって求め、前記既存信号成分と前記追加信号成分とを足し合わせたデータによって、補正対象の画像データの補正するように構成されている。
【０００５】
すなわち、画像読取対象物に照射する照明光の照明色を切換えて画像の読取りを行う場合において、電荷転送部に存在する電荷のうち正規の転送タイミングで受光素子から転送されてくる電荷以外のスミアを発生させる前記不正電荷の量を評価する場合、受光素子から電荷転送部へ正規の電荷転送を行うタイミング以前に既に転送先の電荷転送部に蓄積されていた電荷と、正規に受光素子から電荷転送部に転送された電荷が、その電荷を取り出すために電荷転送部を転送される際に新たに混入する電荷とを評価する必要がある。
図３に示す受光素子の並びを１ライン備えた光センサを例示して説明すると、電荷転送部ＣＴにおける矢印Ａ１の方向への信号出力のための転送動作は、受光素子２１から受け取った電荷の出力側への転送と、それに引き続いて、スミアの補正のために必要な基礎データである前記補正用データを求めるための前記追加転送動作とを行う。これは、電荷転送部ＣＴの転送方向での長さが、見かけ上、図３中において破線Ａ２で示すような前記追加転送動作の転送量に相当する長さ分だけ延長されたような形となる。
【０００６】
追加転送動作によってスミアの発生量を検出する関係上、少なくとも追加転送動作が完了するまでその時点で受光素子が画像を検出するための照明光が照射されている。
従って、前記追加転送動作による出力信号の出力が完了した時点で、そのときの照明光による電荷が電荷転送部に蓄積されてしまっていることになる。
例えば、図３において、前記追加転送動作での出力完了時点での破線枠Ａ３の位置では、照明光の照射下で距離「Ｌ１」だけ転送されており、その転送の間にスミアを発生させる前記不正電荷が蓄積されていることになる。
この蓄積されてしまった電荷の量は、上記照明光の照射下において、どれだけの強さの光を受けてどれだけ移動したかに依存し、換言すると、受光素子から電荷を受け取る時点での電荷転送部における電荷転送方向での位置と、上記照明光による電荷転送方向での光強度分布とに依存することになる。
【０００７】
このようにして既に前記不正電荷が蓄積されてしまっている電荷転送部へ正規の電荷転送として受光素子から電荷が転送される。
この後、受光素子から受け取った電荷を出力するための電荷転送が電荷転送部において開始されると、その出力端に向けた電荷転送の過程で新たに前記不正電荷が混入してくる。
すなわち、この電荷転送を行っているタイミングでは、次の照明色での照明光の照射が開始されており、その照明光により生成された電荷（前記不正電荷）が混入してしまうのである。
例えば、図３において、破線枠Ａ３の位置で受光素子２１から正規の転送動作で電荷を受け取った後、次の照明色の照明光の照射下で距離「Ｌ２」だけ転送され、その転送の間にスミアを発生させる前記不正電荷が新たに蓄積される。
この電荷転送の過程で混入してしまう電荷の量についても、次の照明色に切換えられた照明光の照射下において、どれだけの強さの光を受けてどれだけ移動したかに依存し、換言すると、受光素子から電荷を受け取った時点での電荷転送部における電荷転送方向での位置と、次の照明色に切換えられた照明光による電荷転送方向での光強度分布とに依存することになる。
【０００８】
上述のように、電荷転送部に混入する電荷の量が、電荷転送部における電荷転送方向での位置に依存するので、基本的には、その位置が異なる各画像データ毎にスミアの影響を除去するための補正演算処理を行う必要がある。
以下において、上述の受光素子から電荷転送部へ正規の電荷転送を行う前に既に蓄積されている電荷の量の評価（以下、「既存電荷の評価」と略称する）と、受光素子から電荷転送部へ正規に電荷転送を行った後の電荷転送部での転送動作において新たに蓄積される電荷の量の評価（以下、「新規蓄積電荷の評価」と略称する）とに分けて説明する。
【０００９】
電荷転送部における電荷転送方向での位置は、各位置が受光素子の並びに対応しているので、補正対象の画像データに対応する受光素子の並び位置情報として把握できる。
「既存電荷の評価」のための情報としては、上記の受光素子の並び位置情報の他に、前記先行補正用データと前記先行光量分布データとがある。
ここで、「既存電荷の評価」の際の、電荷転送部を端から端まで移動したときのスミアの発生量を示す前記補正用データとして、上記の先行補正用データ、すなわち、「画像上での位置が補正対象の画像データの近くに位置する１ラインにおける前記追加転送動作」から得たデータを使用するものとしているのは、補正対象の画像データを生成した照明光が照射されているまさにその時に行われた前記追加転送動作によって求められた補正用データを用いるのが最も理想的であるが、近時の極めて高解像度の画像読取りを考慮すると、補正対象の画像データから１ラインか２ライン離れた程度では、画像がそれほど極端には変動しないものであり、その程度離れたラインでの追加転送動作から求めた前記補正用データを用いても精度はそれほど低下しないという観点に基づくものである。
但し、照明色が異なると得られる画像は基本的に全く異なるので、照明色は同一である必要がある。
【００１０】
前記不正電荷を実効的に生成させた光強度の受光素子の並び方向に沿った分布である前記先行光量分布データは、前記先行ラインデータから求められる。これは、画像データは、そもそも、そのような光強度の分布を測定したものだからである。
特に、図３に例示するような、受光素子の並びが１ラインのみによって構成される場合には、前記先行ラインデータをそのまま前記先行光量分布データとして用いることができる。但し、例えば、受光素子の並びを３ラインにて構成する場合等、受光素子の並びの配置構成によっては、前記先行ラインデータをそのまま前記先行光量分布データとして用いることができない場合もあり、あくまでも、前記先行ラインデータのうち、前記不正電荷の生成に実効的に寄与した部分が前記先行光量分布データを構成することになる。
【００１１】
ここで、上記の先行ラインデータについても、「画像上での位置が補正対象の画像データの近くに位置する前記同じ照明色での１ライン分の画像データ」を使用するものとしているのは、補正対象の画像データが属する画像上の１ラインについてのその時の照明色での１ライン分の画像データを用いるのが最も理想的であるが、近時の極めて高解像度の画像読取りを考慮すると、補正対象の画像データから１ラインか２ライン離れた程度では、画像がそれほど極端には変動しないものであり、その程度離れたラインでの１ライン分の画像データを用いても精度はそれほど低下しないという観点に基づくものである。
但し、照明色が異なると得られる画像は基本的に全く異なるので、照明色は同一である必要があるのも上記と同様である。
【００１２】
これらの情報から、各画像データについての「既存電荷の評価」をすると、電荷転送部を転送始端から転送終端まで移動して、前記先行光量分布データの全光量を受光したときのスミアの量が前記先行補正用データであるので、電荷転送部の転送始端から、補正対象の画像データを生成した電荷を受光素子から正規の転送動作で受け取る位置に到達するまでに発生するスミアの量は、前記先行光量分布データにおける総積算信号量に対する前記先行光量分布データにおける電荷転送部の転送始端側の端部位置から前記並び位置情報で特定される位置までの積算信号量の割合と前記先行補正用データとによって、両者を乗算することによって求められる。
【００１３】
次ぎに、「新規蓄積電荷の評価」のための情報としては、上記の受光素子の並び情報の他に、前記後続補正用データと後続光量分布データとがある。
ここで、「新規蓄積電荷の評価」の際の、電荷転送部を端から端まで移動したときのスミアの発生量を示す前記補正用データとして、上記の後続補正用データ、すなわち、「画像上での位置が補正対象の画像データの近くに位置する１ラインにおける前記追加転送動作」から得たデータを使用するものとしているのは、「既存電荷の評価」の場合と同様に、補正対象の画像データを生成した電荷を電荷転送部にて転送しているまさにその時の照明下での前記追加転送動作、換言すると、補正対象の画像データを生成した電荷を含む１ライン分の電荷の転送の直後に行われる前記追加転送動作によって求められた補正用データを用いるのが最も理想的であるが、近時の極めて高解像度の画像読取りを考慮すると、補正対象の画像データから１ラインか２ライン離れた程度では、画像がそれほど極端には変動しないものであり、その程度離れたラインでの追加転送動作から求めた前記補正用データを用いても精度はそれほど低下しないという観点に基づくものである。
但し、照明色が異なると得られる画像は基本的に全く異なるので、照明色は同一である必要がある。
【００１４】
前記不正電荷を実効的に生成させた光強度の受光素子の並び方向に沿った分布である前記後続光量分布データは、前記後続ラインデータから求められる。これは、画像データは、そもそも、そのような光強度の分布を測定したものだからである。
特に、図３に例示するような、受光素子の並びが１ラインのみによって構成される場合には、前記後続ラインデータをそのまま前記後続光量分布データとして用いることができる。但し、例えば、受光素子の並びを３ラインにて構成する場合等、受光素子の並びの配置構成によっては、前記後続ラインデータをそのまま前記後続光量分布データとして用いることができない場合もあり、あくまでも、前記後続ラインデータのうち、前記不正電荷の生成に実効的に寄与した部分が前記後続光量分布データを構成することになる。
【００１５】
同様に、上記の後続ラインデータについても、「画像上での位置が補正対象の画像データの近くに位置する前記同じ照明色での１ライン分の画像データ」を使用するものとしているのは、補正対象の画像データを生成した電荷が電荷転送部を転送されているまさにその時に補正対象の画像データを生成した受光素子が検出している画像上の位置においてのそのときの照明色での１ライン分の画像データを用いるのが最も理想的であるが、近時の極めて高解像度の画像読取りを考慮すると、補正対象の画像データから１ラインか２ライン離れた程度では、画像がそれほど極端には変動しないものであり、その程度離れたラインでの１ライン分の画像データを用いても精度はそれほど低下しないという観点に基づくものである。
但し、照明色が異なると得られる画像は基本的に全く異なるので、照明色は同一である必要があるのも上記と同様である。
【００１６】
これらの情報から、各画像データについての「新規蓄積電荷の評価」をすると、電荷転送部を転送始端から転送終端まで移動して、前記後続光量分布データの全光量を受光したときのスミアの量が前記後続補正用データであるので、補正対象の画像データを生成した電荷を受光素子から正規の転送動作で受け取った位置から電荷転送部の転送終端に到達するまでに発生するスミアの量は、前記後続光量分布データにおける総積算信号量に対する前記後続光量分布データにおける前記並び位置情報で特定される位置から電荷転送部の転送後端側の端部位置までの積算信号量の割合と前記後続補正用データとによって、両者を乗算することによって求められる。
以上から、「既存電荷の評価」によって求めたスミアの量である前記既存信号成分と「新規蓄積電荷の評価」によって求めたスミアの量である前記追加信号成分とを足し合わせたデータを、補正対象の画像データから減算して補正する。
【００１７】
又、本出願の第２の発明は、上記第１の発明の構成に加えて、前記画像読取装置の前記光センサは、１ラインの受光素子の並びによって構成され、前記画像読取装置の前記光源は、青色光，緑色光及び赤色光の各照明色、又は、赤外光，青色光，緑色光及び赤色光の各照明色を順次に繰り返して切換えるように構成されている。
すなわち、照明光の照明色を青色光，緑色光及び赤色光に順次に繰り返して切換えることで、画像読取対象物の画像を３原色に色分解してカラー画像データとして取込む操作を１ラインのみの受光素子列からなる光センサにて行うことができる。
更に、これらの照明色に赤外光を追加するときは、例えば、画像読取対象物が写真フィルムであるときには、写真フィルムについた傷やゴミ等を検出できる。
このような場合に発生するスミアを適切に抑制することができる。
【００１８】
又、本出願の第３の発明は、上記第１の発明の構成に加えて、前記画像読取装置の前記光センサは、夫々青色光成分，緑色光成分及び赤色光成分を検出する３ラインの受光素子の並びによって構成され、前記３ラインの受光素子の並びうち、少なくとも１ラインの受光素子の並びは赤外光に対して感度を有するように構成され、前記画像読取装置の前記光源は、赤外光及び白色光の各照明色を順次に繰り返して切換えるように構成されている。
すなわち、夫々青色光成分，緑色光成分及び赤色光成分を検出する３ラインの受光素子の並びを備えて、白色光の照射下で画像読取対象物の画像を３原色に色分解してカラー画像データとして取込むのであるが、例えば、そのような色分解のためにカラーフィルタを使用する場合には、青色光成分，緑色光成分又は赤色光成分を夫々透過するように設計しても、赤外光をも透過してしまう場合も多い。
これを逆に利用して、青色光成分，緑色光成分及び赤色光成分を検出する３ラインの受光素子の並びのうちの少なくとも何れか１つで赤外光を照射した状態での画像検出を行うのである。
このような構成とする上で、青色光成分，緑色光成分及び赤色光成分に色分解した画像検出信号と、赤外光による画像検出信号とを区別して取得するために、照明色を白色光と赤外光とに順次に繰り返して切換える。
【００１９】
尚、ここでいう白色光とは、分光スペクトルが可視光の広い範囲で分布するものでも良いし、青色光，緑色光及び赤色光の夫々の光源からの出射光を混合することで構成するものでも良い。
又、光センサを３ラインの受光素子の並びによって構成すると、素子の配置構成上、各ラインは、受光素子の並びと直交する副走査方向にある程度離間することになる。
この場合でも、上記の先行ラインデータの取扱いについては、補正対象の画像データを生成した照明光が照射されているまさにその時の画像位置で各受光素子に蓄積された電荷により得られた１ライン分の画像データを使用するのが最も理想的であるが、３ラインの受光素子の並びから同時に出力される信号による画像データ、すなわち、各ライン間の間隔に対応する距離だけ離れた画像位置の画像データを前記先行ラインデータとして使用しても良い。前記後続ラインデータ等についても同様である。
【００２０】
又、本出願の第４の発明は、上記第３の発明の構成に加えて、前記補正演算処理部は、前記先行光量分布データ又は前記後続光量分布データのうちの前記白色光についての光量分布データを、前記受光素子のラインが検出を担当する色成分に対応する前記先行ラインデータ又は前記後続ラインデータの他に、他の２色の色成分に対応する前記先行ラインデータ又は前記後続ラインデータをも含めて、それらのデータに色成分毎に設定した寄与の割合を乗算したものを足し合わせて求めるように構成されている。
【００２１】
すなわち、照明色を赤外光と白色光とに順次に繰り返して切換える場合、前記先行光量分布データと前記後続光量分布データとのうち、一方は白色光による光量分布データとなり他方は赤外光による光量分布データとなる。
このうちの白色光についての光量分布データを求める場合、一般的にスミアの発生要因と考えられている受光素子から電荷転送部への電荷のあふれ出しに着目すると、例えば、青色光成分検出用の受光素子のラインは、他の２色の色成分（緑色光成分及び赤色光成分）については、カラーフィルタ等により排除するように設計されることから、青色光成分の先行ラインデータ（先行光量分布データの場合）又は後続ラインデータ（後続光量分布データの場合）だけを利用すれば良いようにも考えられる。
しかしながら、スミアの発生要因には、電荷転送部の遮光膜を透過して電荷を発生させてしまう場合等も考えられるので、前記受光素子のラインが検出を担当する色成分に対応する先行ラインデータ又は後続ラインデータの他に、他の２色の色成分に対応する先行ラインデータ又は後続ラインデータをも考慮して前記光量分布データを求めるのである。
この際、求めたい光量分布データに対する各色成分の先行ラインデータ又は後続ラインデータの寄与の割合は各色成分毎に異なるものであり、その寄与の割合も考慮に入れて前記光量分布データを求める。
【発明の効果】
【００２２】
上記第１の発明によれば、受光素子から電荷転送部へ正規の電荷転送を行う前に既に蓄積されている電荷の量の評価と、受光素子から電荷転送部へ正規に電荷転送を行った後の電荷転送部での転送動作において新たに蓄積される電荷の量の評価とを行うことによって、照明光の照明色を順次に繰り返して切換えて画像を読取る場合にも、適正にスミア補正を行うことができる。
又、上記第２の発明によれば、照明光の照明色を青色光，緑色光及び赤色光、又は、赤外光，青色光，緑色光及び赤色光に順次に繰り返して切換えて画像を読取る場合にも、適正にスミア補正を行うことができる。
又、上記第３の発明によれば、照明光の照明色を赤外光及び白色光に順次に繰り返して切換えて画像を読取る場合にも、適正にスミア補正を行うことができる。
又、上記第４の発明によれば、前記受光素子のラインが検出を担当する色成分に対応する前記先行ラインデータ又は前記後続ラインデータの他に、他の２色の色成分に対応する前記先行ラインデータ又は前記後続ラインデータをも含めて考慮することで、補正に利用する白色光による前記先行光量分布データ又は前記後続光量分布データをより精度良く求めることができ、スミア補正の補正精度を向上させることができる。
【発明を実施するための最良の形態】
【００２３】
以下、本発明の画像読取装置用の画像データ補正装置を写真プリントシステムに備えた場合の実施の形態を図面に基づいて説明する。
＜第１実施形態＞
写真プリントシステムＤＰは、図１に示すように、現像処理済みの写真フィルム１（以下、単に「フィルム１」と称する）の駒画像を読取るための画像読取装置ＦＳと、画像読取装置ＦＳの読取りデータに基づいて写真プリントを作製する露光・現像装置ＥＰとから構成されている。
【００２４】
〔画像読取装置ＦＳの概略構成〕
画像読取装置ＦＳには、図１に概略的に示すように、フィルム１の画像を読取るための光源ＬＳであるＬＥＤ光源装置１０と、光源制御装置１２と、フィルム１の駒画像を光電変換する光センサＰＳとしてのＣＣＤラインセンサユニット１３と、フィルム１の画像をＣＣＤラインセンサユニット１３上に結像させるためのレンズ１４と、光路を９０度屈曲させるためのミラー１５と、ＣＣＤラインセンサユニット１３の出力信号を増幅及びＡ／Ｄ変換等する信号処理回路１６と、所定の読取り用位置を経由してフィルム１を搬送するフィルムキャリア１７とが備えられている。尚、ＬＥＤ光源装置１０とフィルムキャリア１７におけるフィルム搬送位置との間には、光拡散ボックス１８が備えられている。
画像読取装置ＦＳは、光源ＬＳからの照明光が照射される画像読取対象物であるフィルム１の像を、それの透過光の光強度を色成分に分解して検出することで、カラー画像として読取る。
【００２５】
本第１実施形態のＣＣＤラインセンサユニット１３は、図３に模式的に示すように、約５０００個の受光素子２１をライン状に配列した受光部ＬＲと、その受光素子２１の並びに沿って配置されて受光素子２１夫々からの転送動作によって受け取った電荷を受光素子２１の並び方向に転送出力する電荷転送部ＣＴと、受光部ＬＲと電荷転送部ＣＴとの間に配置されて受光部ＬＲから電荷転送部ＣＴへの電荷転送動作を制御するシフトゲートＳＧとを主要部として構成されている。
受光素子２１の並び方向（主走査方向）は、フィルム１の搬送横幅方向に一致しており、ＬＥＤ光源装置１０の照射光で照明されたフィルム１の駒画像が、フィルム１の駒画像の幅が受光素子２１の並び範囲内に収まる倍率で、レンズ１４にてＣＣＤラインセンサユニット１３の受光面上に結像される。すなわち、フィルム１の透過光の像がＣＣＤラインセンサユニット１３にて検出される。
【００２６】
本第１実施形態のＣＣＤラインセンサユニット１３は、図３に示す通り、１ラインの受光素子２１の並びによって構成されており、この１ラインの受光素子２１の並びによって、フィルム１の画像を青色，緑色及び赤色の３原色に色分解して検出すると共に、更にこれらに加えて赤外光の照明下での画像をも検出する。赤外光の照射下で検出する画像は、フィルム１に付いた傷やゴミ等の検出に用いる。
このため、詳しくは後述するが、ＬＥＤ光源装置１０は、画像読取対象物であるフィルム１へ照射する照明光を、赤外光，青色光，緑色光及び赤色光の４つの照明色を順次に繰り返して切換えており、電荷転送部ＣＴは、受光素子２１の並びの１ライン分の検出信号を、これらの照明色の切換えと同期して転送出力する。
ＣＣＤラインセンサユニット１３の電荷転送部ＣＴやシフトゲートＳＧを駆動するクロック信号等は、信号処理回路１６から供給され、信号処理回路１６は、電荷転送部ＣＴにおいて電荷を転送動作させる信号として、１ライン分の撮像のために有効な複数の受光素子２１の夫々から受け取った電荷を転送するためのクロック及びＣＣＤラインセンサユニット１３の仕様上要求されている転送動作を行わせるためのクロックの他に、スミアを補正するのに利用する補正用データを求めるために、それらに追加して追加転送動作を実行させるクロック信号を供給する。
このスミアは、電荷転送部ＣＴに蓄積される電荷のちの、受光素子２１から電荷転送部ＣＴへの転送動作によって正規に（転送動作させるためのパルス信号に従って）転送された電荷以外の不正電荷によって発生するものであり、受光素子２１から正規に電荷を受け取らない状態で転送動作することによって、前記不正電荷による信号成分を取得できる。
【００２７】
画像読取装置ＦＳでは、フィルムキャリア１７にフィルム１がセットされると、フィルム１の搬送が開始され、ＣＣＤラインセンサユニット１３の各受光素子２１の受光面上に結像されたフィルム１の駒画像が、ライン単位に分割されて順次に読み取られる。
ＣＣＤラインセンサユニット１３の検出信号は、信号処理回路１６にてＡ／Ｄ変換され、画像データとして露光・現像装置ＥＰへ送られる。
もちろん、各ライン毎に、各ラインの画像データに後続する形で、そのラインについての前記追加転送動作によって出力される信号により得られたデジタルデータも併せて出力される。
【００２８】
〔ＬＥＤ光源装置１０の構成〕
ＬＥＤ光源装置１０は、図２に示すように、ほぼ閉空間を構成する筐体３０内に、光源である発光ダイオードのチップ３１を多数配列した金属製の２つのチップ支持基板３２と、２つのチップ支持基板３２を支持する略Ｌ字状のヒートシンク３３と、２つのチップ支持基板３２の夫々に対応して備えられる２つの第１レンズ３４と、波長選択性反射ミラー３５と、２つのチップ支持基板３２に対して共通に備えられる第２レンズ３６と、筐体３０の一側に配置される吸気ファンユニット３７と、筐体３０における吸気ファンユニット３７と反対側に配置される排気ファンユニット３８とが備えられ、更に、ヒートシンク３３におけるチップ支持基板３２取付け位置付近に発光ダイオードの動作温度を安定させるためのヒータ３９が埋め込まれている。
【００２９】
２つのチップ支持基板３２は、夫々異なる発光色の発光ダイオードチップを搭載しており、上方側のチップ支持基板３２ａは青色光を出射する発光ダイオードチップと緑色光を出射する発光ダイオードチップとを搭載し、下方側のチップ支持基板３２ｂは赤色光を出射する発光ダイオードチップと赤外光を出射する発光ダイオードチップとを搭載している。従って、波長選択性反射ミラー３５は、赤色及び赤外の光を反射し、それよりも短波長側の光を透過するように構成されている。
ＬＥＤ光源装置１０を制御する光源制御装置１２は、信号処理回路１６からの制御信号によって、赤外光，青色光，緑色光及び赤色光を出射する発光ダイオードチップを順次に繰り返して点灯させ、フィルム１に照射する照明光の照明色を、赤外光，青色光，緑色光及び赤色光の各照明色に順次に繰り返して切換える。
【００３０】
〔露光・現像装置ＥＰの全体構成〕
露光・現像装置ＥＰは、図１に示すように、画像読取装置ＦＳとは別体で構成されており、筐体内部には、印画紙２に露光画像を形成する露光ヘッド４１と、露光形成する画像の画像データに基づいて露光ヘッド４１を制御する露光制御装置４２と、露光ヘッド４１にて露光された印画紙２を現像処理する現像処理装置４３と、印画紙マガジン３から引き出された印画紙２を現像処理装置４３へ搬送する印画紙搬送系ＰＴとが設けられ、筐体外部には、現像処理装置４３にて現像された印画紙２をオーダ毎に一時的に保存するためのソータ（図示を省略）へ搬送する排出コンベア４４が設けられ、更に、これら各部を制御する主制御装置４５が筐体内に設けられている。
【００３１】
主制御装置４５には、プリント画像をシミュレートして表示するためのモニタ４５ａと、操作者がそのモニタ４５ａに表示されたシミュレート画像を観察して露光条件の補正量を指示入力するための操作卓４５ｂと、光磁気ドライブ装置やＣＤ−Ｒドライブ装置等の外部入出力装置４５ｃとが接続されている。更に、主制御装置４５には、画像処理機能の一部として、スミアの発生により劣化した画質を補正するための画像データ補正装置４５ｄとしての機能がプログラムとして組み込まれている。
印画紙搬送系ＰＴは、各種の搬送形式にて構成される複数の搬送ローラ４６等が備えられ、印画紙搬送系ＰＴの搬送経路の途中には、印画紙マガジン３から引き出された長尺の印画紙２を設定プリントサイズに切断するカッタ４７と、印画紙２の搬送列を振り分けるための振り分け装置４８とが備えられている。
【００３２】
〔画像データ補正装置４５ｄによる補正処理〕
次ぎに、画像データ補正装置４５ｄによるスミアの補正処理について、１つの受光素子２１の検出信号が１つの画像データ、すなわち、１画素のうちの１色分のデータを生成するものとして説明する。
画像データ補正装置４５ｄは、機能上、前記追加転送動作によって得られたデータから、前記不正電荷による信号成分（スミア）を補正するための補正用データを求める補正用データ演算部５１と、前記補正用データにて各画像データを補正する補正処理演算部５２とが備えられて構成されている。具体構成としては、それらの機能の処理プログラムが主制御装置４５に組み込まれている。
スミアの補正処理は、照明光の照明色を電荷転送部ＣＴからのデータの転送出力と同期して切換える関係上、単に前記追加転送動作によって得られた補正用データを各画像データから減算する処理を行うのではなく、スミアを発生させる光強度の電荷転送方向での分布を考慮して、受光素子２１から電荷転送部ＣＴへ正規の電荷転送を行う前に既に蓄積されている電荷の量の評価（上述の「既存電荷の評価」）と、受光素子２１から電荷転送部ＣＴへ正規に電荷転送を行った後の電荷転送部ＣＴでの転送動作において新たに蓄積される電荷の量の評価（上述の「新規蓄積電荷の評価」）とを行って、補正量を算出する。
以下、主制御装置４５が画像データ補正装置４５ｄの補正処理演算部５２として実行する図６のフローチャートに基づいて、スミアの補正処理を説明する。
この処理の実行前には、補正用データ演算部５１が、信号処理回路１６から入力されてくるデータに対して、各ラインの各色成分についての１ライン分の画像データに後続して送られてくる前記追加転送動作によるデータの夫々について前記補正用データを既に算出してある。
【００３３】
上記のスミアを発生させる光強度の分布は、実際の画像データによって求めており、先ず、「既存電荷の評価」及び「新規蓄積電荷の評価」において、どのラインの画像データを利用するかを特定する（ステップ＃１）。
本第１実施形態では、上述のように、電荷転送部ＣＴからの１ライン分のデータ出力と同期してＬＥＤ光源装置１０による照明色を切換えており、これらのタイミングを図４のタイミングチャートに示す。
図４の最上段の「光源切換え」は、ＬＥＤ光源装置１０の赤外光，青色光，緑色光及び赤色光の各発光ダイオードチップを発光駆動させるための点灯指示パルス信号で、赤外光−青色光−緑色光−赤色光に照明色を順次に切換えて１サイクルとし、このサイクルを繰り返す。フィルム１の搬送方向である副走査方向では、この１サイクルで得られる出力信号が１画素の各色の画像データを構成する。
各パルス信号内の符号は、点灯を指示する対象の照明色を示しており、「ＩＲ」は赤外光、「Ｂ」は青色光、「Ｇ」は緑色光、「Ｒ」は赤色光を意味している。
図４の第２段目の「Ｓ／Ｈ」は、各受光素子２１に蓄積された電荷を電荷転送部ＣＴへ転送動作させるためのパルス信号で、このパルス信号の立ち下がりで各受光素子２１の蓄積電荷が一斉に電荷転送部ＣＴへ正規に転送される。この転送のタイミングは、各照明色での点灯開始のタイミングと一致している。
【００３４】
図４の第３段目の「電荷蓄積」は、受光素子２１から電荷転送部ＣＴへ電荷を正規に転送してから、次ぎに正規の転送を行うまでの間隔を示しており、この間、照明光を受光して発生した電荷が受光素子２１に蓄積される。各電荷蓄積期間には、そのときの照明色を示す符号に各サイクルを区別するための連続番号を付加して示している。
図４の第４段目の「電荷転送」は、電荷転送部ＣＴにおいて電荷を転送出力するための転送クロックを示している。この種のＣＣＤの一般的な使用態様として、電荷転送部ＣＴでの電荷の転送と並行して、受光素子２１での受光及び電荷蓄積が行われている。
図４の最下段の「データ出力」は、第４段目の転送クロックによって信号が転送出力される様子を示している。
図中で、「ＳＩＲ１」等と表記しているのは、赤外光，青色光，緑色光，赤色光の照射下で受光素子２１が検出した信号であることを夫々示す「ＳＩＲ」，「ＳＢ」，「ＳＧ」，「ＳＲ」に説明の便宜上各サイクルを区別するための連続番号を付加して示したものであり、又、これらに引き続く状態で出力される「ＡＩＲ１」等の表記は、赤外光，青色光，緑色光，赤色光の照射下で電荷転送部ＣＴを転送される前記追加転送動作による出力信号であることを夫々示す「ＡＩＲ」，「ＡＢ」，「ＡＧ」，「ＡＲ」に説明の便宜上各サイクルを区別するための連続番号を付加して示したものである。尚、「ＳＩＲ１」等は出力期間を示しており、実際の信号は各受光素子２１毎の検出信号が独立して時系列に出力される。
【００３５】
図４に示すようなタイミングで動作している場合において、例えば、図４の最下段における「ＳＢ１」の出力信号によって生成された青色成分の１ライン分の画像データに属する何れかの画像データを補正対象とするときには、上記「既存電荷の評価」に関しては、その補正対象の画像データを生成した電荷（「Ｂ１」の電荷蓄積期間で蓄積された電荷）を受光素子２１から電荷転送部ＣＴへ正規に転送しようとするとき、電荷転送部ＣＴの転送先の位置は、「Ｂ１」の電荷蓄積期間中の照明色である青色照明下で転送されてきて、既に電荷（前記不正電荷）が蓄積された状態となっている。
そのような不正電荷を生成した光強度の分布は、「Ｂ１」の電荷蓄積期間で受光素子２１に蓄積された電荷によって出力された信号である「ＳＢ１」によって知ることができる。
従って、上記の光強度の分布を特定するための「先行ラインデータ」として、「ＳＢ１」により生成された、補正対象の画像データが属する１ライン分の画像データを使用するように特定する。
又、上記「既存電荷の評価」に関して、スミアの発生量を定量化するための補正用データである「先行補正用データ」として、「Ｂ１」の電荷蓄積期間中の照明色である青色照明下でのスミアの発生量を検出するための「ＡＢ１」の信号出力から得たデータを使用する。この「ＡＢ１」では、見かけ上複数画素分に相当するデータを出力しており、補正用データ演算部５１がそれらの平均値を求めて、電荷転送部ＣＴを転送始端から転送終端まで転送されたときに発生するスミアのデータ値である補正用データ（ここでは、先行補正用データ）としている。
【００３６】
但し、前記先行ラインデータや前記先行補正用データの特定については、必ずしも、上記に関係に限定されるものではなく、前記先行ラインデータに関しては、補正対象の画像データを生成した照明色と同じ照明色（ここでは、青色光）について出力され且つ画像上での位置が補正対象の画像データの近くに位置する前記同じ照明色での１ライン分の画像データの何れかから補正の精度を考慮して選択しても良い。
すなわち、照明色さえ同じであれば、画像上の位置が補正対象の画像データの属するラインと若干位置ずれしても、画像データはそれほど極端に変化するものではないからである。
例えば、「ＳＢ１」の出力信号によって生成された青色成分の１ライン分の画像データに属する何れかの画像データを補正対象とするときでも、隣のラインである「ＳＢ２」の出力信号によって生成された青色成分の１ライン分の画像データを前記先行ラインデータとしても良い。
【００３７】
更に、同様の理由で、前記先行補正用データについても、補正対象の画像データを生成した照明色と同じ照明色の照明光の照射下で且つ画像上での位置が補正対象の画像データの近くに位置する１ラインにおける前記追加転送動作によって求められた補正用データであれば良い。
例えば、上述の「ＡＢ１」の代わりに画像上の位置が隣のラインの「ＡＢ２」で求めた補正用データを前記先行補正用データとしても良い。但し、前記先行補正用データは、前記先行ラインデータよりも大きく補正結果に影響するので、極力「ＡＢ１」で求めた補正用データを使用することが望ましい。
【００３８】
次ぎに、上記「新規蓄積電荷の評価」については、その補正対象の画像データを生成した電荷を受光素子２１から電荷転送部ＣＴへ転送した後、電荷転送部ＣＴにおいて転送しているとき、その転送は「Ｇ１」の電荷蓄積期間中の照明色である緑色照明下で行われ、その転送の過程でスミアを発生させる前記不正電荷が蓄積されていく。
そのような不正電荷を生成する光強度の分布は、「Ｇ１」の電荷蓄積期間で受光素子２１に蓄積された電荷によって出力された信号である「ＳＧ１」によって知ることができる。
従って、上記の光強度の分布を特定するための「後続ラインデータ」として、「ＳＧ１」により生成された１ライン分の画像データを使用するように特定する。
又、上記「新規蓄積電荷の評価」に関して、スミアの発生量を定量化するための補正用データである「後続補正用データ」として、「Ｇ１」の電荷蓄積期間中の照明色である緑色照明下でのスミアの発生量を検出するための「ＡＧ１」の信号出力から得たデータを使用する。この「ＡＧ１」では、見かけ上複数画素分に相当するデータを出力しており、それらの平均値を求めて、電荷転送部ＣＴを転送始端から転送終端まで転送されたときに発生するスミアのデータ値である補正用データ（ここでは、後続補正用データ）とする。
【００３９】
但し、前記後続ラインデータや前記後続補正用データの特定については、必ずしも、上記に関係に限定されるものではなく、前記後続ラインデータに関しては、補正対象の画像データを生成した電荷を前記電荷転送部にて転送しているときの照明色と同じ照明色（ここでは、緑色光）について出力され且つ画像上での位置が補正対象の画像データの近くに位置する前記同じ照明色での１ライン分の画像データであれば良い。
すなわち、照明色さえ同じであれば、画像上の位置が補正対象の画像データの属するラインと若干位置ずれしても、画像データはそれほど極端に変化するものではないからである。
例えば、「ＳＢ１」の出力信号によって生成された青色成分の１ライン分の画像データに属する何れかの画像データを補正対象とするときでも、「ＳＧ１」の代わりに「ＳＧ２」（「ＳＧ１」のラインの隣のラインの信号、図４では図示せず）の出力信号によって生成された緑色成分の１ライン分の画像データを前記後続ラインデータとしても良い。
【００４０】
更に、同様の理由で、前記後続補正用データについても、補正対象の画像データを生成した電荷を前記電荷転送部にて転送しているときの照明色と同じ照明色（ここでは、緑色光）の照明光の照射下で且つ画像上での位置が補正対象の画像データの近くに位置する１ラインにおける前記追加転送動作によって求められた補正用データであれば良い。
例えば、上述の「ＡＧ１」の代わりに「ＡＧ２」で求めた補正用データを前記後続補正用データとしても良い。但し、前記後続補正用データは、前記後続ラインデータよりも大きく補正結果に影響するので、極力「ＡＧ１」で求めた補正用データを使用することが望ましい。
【００４１】
以上のようにして、前記先行ラインデータ及び先行補正用データ、並びに、前記後続ラインデータ及び後続補正用データに何れのデータを使用するかを特定すると、次ぎに、前記先行ラインデータに基づいて、受光素子２１の並びに沿った前記不正電荷を生成させた光強度の分布を示す先行光量分布データを求め、更に、前記後続ラインデータに基づいて、受光素子２１の並びに沿った前記不正電荷を生成させた光強度の分布を示す後続光量分布データを求める（ステップ＃２）。
この先行光量分布データは、前記不正電荷の生成に実効的に寄与する光量分布であるが、本第１実施形態では、照明色として赤外光，青色光，緑色光及び赤色光を順次に繰り返して切換え、各照明色について１ライン分の画像データを得る構成としているので、前記先行ラインデータが１つの照明色についてのみのデータであり、前記先行ラインデータをそのまま先行光量分布データとして使用することができる。
これは、後続光量分布データについても同様であり、前記後続ラインデータをそのまま後続光量分布データとして使用できる。
以上で、１ライン分の画像データの補正のために必要な情報が揃ったので、次ぎに、各画像データ毎の処理に移る。
【００４２】
各画像データ毎の処理としては、先ず、上記「既存電荷の評価」に関して、前記先行補正用データと、前記先行光量分布データとに基づいて、受光素子２１から電荷転送部ＣＴに電荷を転送する際に、既に電荷転送部ＣＴにおける転送先の位置に蓄積されていた電荷による既存信号成分を求める（ステップ＃３）。
この既存信号成分は、前記先行光量分布データにおける総積算信号量に対する前記先行光量分布データにおける電荷転送部ＣＴの転送始端側の端部位置から並び位置情報（補正対象の画像データを生成した受光素子２１の並び位置）で特定される位置までの積算信号量の割合と前記先行補正用データとによって求める。
図５（ａ）に例示する前記先行光量分布データによって具体的に説明すると、前記先行光量分布データが図５（ａ）の曲線Ｗ１で示す分布である場合において、前記先行補正用データは、電荷転送部ＣＴの搬送始端から搬送終端まで、すなわち、曲線Ｗ１の全範囲の光を受けて発生したスミアの量を示している。
【００４３】
補正対象の画像データを生成した受光素子２１の並び位置が「Ｐ」であるとき、その位置の受光素子２１から電荷転送部ＣＴへ電荷を転送するとき、転送先には、転送始端側の端部位置から「Ｐ」までの範囲の光を受けてスミアを発生させる前記不正電荷が発生していることになる。
従って、前記既存信号成分Ｓ１は、曲線Ｗ１の全範囲（転送始端位置から転送終端位置まで）の積分値ＤＴ１に対する斜線を付した部分の積分値ＰＴ１の割合に、前記先行補正用データのデータ値Ｃ１を乗算することによって求まる。
すなわち、Ｓ１＝Ｃ１×ＰＴ１／ＤＴ１  となる。
計算上は、ＤＴ１は、前記先行光量分布データの１ライン分の全データの総和をとって、総積算信号量を求めれば良く、又、ＰＴ１は、前記先行光量分布データのうち、電荷転送部ＣＴの転送始端側の端部位置から補正対象の画像データを生成した受光素子の並び位置「Ｐ」までのデータの総和をとって、その区間の積算信号量を求めれば良い。
【００４４】
次ぎに、上記「新規蓄積電荷の評価」については、前記後続補正用データと、前記後続光量分布データとに基づいて、電荷転送部ＣＴにおいて転送される過程で新たに蓄積される電荷による追加信号成分を求める（ステップ＃４）。
この追加信号成分は、前記後続光量分布データにおける総積算信号量に対する前記後続光量分布データにおける受光素子２１の並び位置情報（補正対象の画像データを生成した受光素子２１の並び位置）で特定される位置から電荷転送部ＣＴの転送後端側の端部位置までの積算信号量の割合と前記後続補正用データとによって求める。
図５（ｂ）に例示する前記後続光量分布データによって具体的に説明すると、前記後続光量分布データが図５（ｂ）の曲線Ｗ２で示す分布である場合において、前記後続補正用データは、電荷転送部ＣＴの搬送始端から搬送終端まで、すなわち、曲線Ｗ２の全範囲の光を受けて発生したスミアの量を示している。
【００４５】
補正対象の画像データを生成した受光素子２１の並び位置が「Ｐ」であるとき、その位置で受光素子２１から正規に電荷を受け取った電荷転送部ＣＴが、その電荷を転送するとき、位置「Ｐ」から転送終端位置までの範囲の光を受けてスミアを発生させる前記不正電荷が発生することになる。
従って、前記追加信号成分Ｓ２は、曲線Ｗ２の全範囲（転送始端位置から転送終端位置まで）の積分値ＤＴ２に対する斜線を付した部分の積分値ＰＴ２の割合に、前記後続補正用データのデータ値Ｃ２を乗算することによって求まる。
すなわち、Ｓ２＝Ｃ２×ＰＴ２／ＤＴ２  となる。
計算上は、ＤＴ２は、前記後続光量分布データの１ライン分の全データの総和をとって、総積算信号量を求めれば良く、又、ＰＴ２は、前記後続光量分布データのうち、補正対象の画像データを生成した受光素子の並び位置「Ｐ」から電荷転送部ＣＴの転送終端側の端部位置までのデータの総和をとって、その区間の積算信号量を求めれば良い。
【００４６】
このようにして求めた、前記既存信号成分Ｓ１と前記追加信号成分Ｓ２とを、補正対象の画像データから減算することで、スミアのデータ成分を除去できる（ステップ＃５）。
尚、以上の処理では、暗電流等により発生するオフセット成分を無視しているが、データ中にそのようなオフセット成分が存在するときは、適宜にそれらのオフセット成分を除去して計算する。
以上の処理を１ライン分の画像データの夫々について繰り返して（ステップ＃６）、１ライン分の画像データの補正処理が完了すると、更に次ぎのラインの補正処理へ移行し（ステップ＃７）、全ての色成分の全てのラインについてすなわち１つの画像全体について補正処理が完了すると処理を終了する。
【００４７】
〔露光・現像装置ＥＰの全体動作〕
次に、露光・現像装置ＥＰの全体動作について概略的に説明する。
画像読取装置ＦＳにてフィルム１の駒画像が読み取られて、その画像データが主制御装置４５に入力されると、主制御装置４５では、入力されてきた画像データに対して、画像データ補正装置４５ｄにて上述の補正処理を実行させた後、補正後の画像データに基づいて写真プリントを作製したときに得られるであろう画像をシミュレート演算により求めてモニタ４５ａに表示する。
操作者は、モニタ４５ａに表示されたシミュレート画像を観察して、適宜露光条件の補正入力を操作卓４５ｂから行う。
主制御装置４５は、操作卓４５ｂから補正入力があると、その指示に基づいて露光条件を補正演算して露光用の画像データを生成し、その画像データを露光制御装置４２へ送る。
露光制御装置４２は、印画紙２の搬送駆動と連動して、受け取った露光用の画像データに基づいて露光ヘッド４１を駆動し、前記露光位置を搬送される印画紙２に対して潜像として画像を露光形成する。
露光ヘッド４１にて露光処理された印画紙２は、現像処理装置４３にて現像処理及び乾燥処理された後、排出コンベア４４上に排出される。
【００４８】
＜第２実施形態＞
次ぎに、本発明の第２実施形態を説明する。
本第２実施形態は、上記第１実施形態とは光センサＰＳであるＣＣＤラインセンサユニット１３の構成と、ＬＥＤ光源装置１０による照明色の切換え制御とが異なり、それに伴って、スミアの補正処理も異なっている。
以下、上記第１実施形態の相違点を主体に説明する。以下で説明する部分以外の箇所は、上記第１実施形態と共通の構成である。
【００４９】
本第２実施形態のＣＣＤラインセンサユニット１３の構成は、図７の模式図に示すように、赤色検出用のＣＣＤラインセンサ２０Ｒ，緑色検出用のＣＣＤラインセンサ２０Ｇ及び青色検出用のＣＣＤラインセンサ２０Ｂを設定間隔をおいて並べて配置する状態で一体に集積化したものであり、各ＣＣＤラインセンサ２０Ｒ，２０Ｇ，２０Ｂは、夫々、約５０００個の受光素子２１をライン状に並べて配列した受光部ＬＲと、その受光素子２１の並びに沿って配置されて受光素子２１夫々からの転送動作によって受け取った電荷を受光素子２１の並び方向に転送出力する電荷転送部ＣＴと、受光部ＬＲと電荷転送部ＣＴとの間に配置されて受光部ＬＲから電荷転送部ＣＴへの電荷転送動作を制御するシフトゲートＳＧとを主要部として構成されている。
各ＣＣＤラインセンサ２０Ｒ，２０Ｇ，２０Ｂの受光面には、夫々、カラーフィルタが形成されて、フィルム１の駒画像を色分解して検出するように構成されている。
尚、上記カラーフィルタは、それの性質上、赤外光の透過率が高く、それを利用して、上記の３つのＣＣＤラインセンサ２０Ｒ，２０Ｇ，２０Ｂのうちの一つを赤外光の透過画像の検出に兼用している。本第２実施形態では、ＣＣＤラインセンサ２０Ｇを赤外光の透過画像の検出にも兼用するものとして説明する。
【００５０】
ＬＥＤ光源装置１０については、それの構成自体は上記第１実施形態と全く変わるところはないが、赤外光，青色光，緑色光及び赤色光を出射する発光ダイオードチップの点灯のさせ方が上記第１実施形態と異なる。
本第２実施形態では、ＣＣＤラインセンサユニット１３が、青色，緑色及び赤色に同時に色分解して検出できるＣＣＤラインセンサ２０Ｒ，２０Ｇ，２０Ｂを備えていることから、青色光，緑色光及び赤色光を同時に照射して白色光の照明色としてフィルム１へ照射している。
但し、赤外光については、ＣＣＤラインセンサ２０Ｇにおいて緑色光成分の検出信号と分離して検出するために、上記白色光の照射とは異なるタイミングで発光駆動している。
具体的には、赤外光及び白色光の各照明色を順次に繰り返して切換えている。
【００５１】
〔画像データ補正装置４５ｄによる補正処理〕
次ぎに、本第２実施形態における、画像データ補正装置４５ｄによるスミアの補正処理について、１つの受光素子２１の検出信号が１つの画像データ、すなわち、１画素のうちの１色分を生成するものとして説明する。
スミアの補正処理は、上記第１実施形態と同様に、照明光の照明色を電荷転送部ＣＴからのデータの転送出力と同期して切換える関係上、単に前記追加転送動作によって得られた補正用データを各画像データから減算する処理を行うのではなく、スミアを発生させる光強度の電荷転送方向での分布を考慮して、受光素子２１から電荷転送部ＣＴへ正規の電荷転送を行う前に既に蓄積されている電荷の量の評価（上述の「既存電荷の評価」）と、受光素子２１から電荷転送部ＣＴへ正規に電荷転送を行った後の電荷転送部ＣＴでの転送動作において新たに蓄積される電荷の量の評価（上述の「新規蓄積電荷の評価」）とを行って、補正量を算出する。
本第２実施形態におけるスミアの補正処理も、主制御装置４５が画像データ補正装置４５ｄとして実行する図６のフローチャートに基づいて実行されるが、各処理ステップの具体的な処理内容が上記第１実施形態と異なる。
以下、順を追って説明する。
【００５２】
上記第１実施形態と同様に、上記のスミアを発生させる光強度の分布は、実際の画像データによって求めており、先ず、「既存電荷の評価」及び「新規蓄積電荷の評価」において、どのラインの画像データを利用するかを特定する（ステップ＃１）。
本第２実施形態では、上述のように、電荷転送部ＣＴからの１ライン分のデータ出力と同期してＬＥＤ光源装置１０による照明色を切換えており、これらのタイミングを図８のタイミングチャートに示す。
図８のタイミングチャートは、図４と対応させて図示しており、図８の最上段の「光源切換え」は、ＬＥＤ光源装置１０の赤外光，青色光，緑色光及び赤色光の各発光ダイオードチップを発光駆動させるための点灯指示パルス信号で、赤外光−白色光（青色光，緑色光及び赤色光の同時点灯）に照明色を順次に切換えて１サイクルとし、このサイクルを繰り返す。
フィルム１の搬送方向である副走査方向では、この１サイクルで得られる各色（赤外光を含む）の出力信号から１画素分の各色のデータが得られることになる。但し、詳しくは後述するが、副走査方向に各ＣＣＤラインセンサ２０Ｒ，２０Ｇ，２０Ｂが離間して配置されているので、同時にＣＣＤラインセンサユニット１３から出力される各色の出力信号が同じ画素のデータとはなっていない。
各パルス信号内の符号は、点灯を指示する対象の照明色を示しており、「ＩＲ」は赤外光、「ＷＨ」は白色光すなわち青色光，緑色光及び赤色光の同時照射を意味している。
図８の第２段目の「Ｓ／Ｈ」は、各受光素子２１に蓄積された電荷を電荷転送部ＣＴへ転送動作させるためのパルス信号で、このパルス信号の立ち下がりで各受光素子２１の蓄積電荷が一斉に電荷転送部ＣＴへ正規に転送される。この転送のタイミングは、各照明色での点灯開始のタイミングと一致している。
【００５３】
図８の第３段目の「電荷蓄積」は、受光素子２１から電荷転送部ＣＴへ電荷を正規に転送してから、次ぎに正規の転送を行うまでの間隔を示しており、この間、照明光を受光して発生した電荷が受光素子２１に蓄積される。各電荷蓄積期間には、そのときの照明色を示す符号に各サイクルを区別するための連続番号を付加して示している。
図８の第４段目の「電荷転送」は、電荷転送部ＣＴにおいて電荷を転送出力するための転送クロックを示している。この種のＣＣＤの一般的な使用態様として、電荷転送部ＣＴでの電荷の転送と並行して、受光素子２１での受光及び電荷蓄積が行われている。
図８の最下段の「データ出力」は、第４段目の転送クロックによって信号が転送出力される様子を示している。
図中で、「ＳＷＨ１」等と表記しているのは、赤外光，白色光の照射下で受光素子２１が検出した信号であることを夫々示す「ＳＩＲ」，「ＳＷＨ」に説明の便宜上各サイクルを区別するための連続番号を付加して示したものであり、又、これらに引き続く状態で出力される「ＡＩＲ１」等の表記は、赤外光，白色光の照射下で電荷転送部ＣＴを転送される前記追加転送動作による出力信号であることを夫々示す「ＡＩＲ」，「ＡＷＨ」に説明の便宜上各サイクルを区別するための連続番号を付加して示したものである。尚、「ＳＩＲ１」等は出力期間を示しており、実際の信号は各受光素子２１毎の検出信号が独立して時系列に出力される。白色光の照射下で検出した信号を「ＳＷＨ１」あるいは「ＡＷＨ１」等のように、まとめて表記しているが、前記追加転送動作による出力信号も含めて、青色，緑色及び赤色に色分解した状態で夫々独立に信号出力されるのは、上記のＣＣＤラインセンサユニット１３についての説明の通りである。
【００５４】
図８に示すようなタイミングで動作している場合において、図８の最下段における「ＳＷＨ１」の出力信号によって生成された青色成分，緑色成分及び赤色成分の３ライン分の画像データのうちの赤色成分の１ライン分の画像データに属する何れかの画像データを補正対象とする場合を例示して説明する。
このときには、上記「既存電荷の評価」に関しては、その補正対象の画像データを生成した電荷（「ＷＨ１」の電荷蓄積期間で蓄積された電荷）を受光素子２１から電荷転送部ＣＴへ正規に転送しようとするとき、電荷転送部ＣＴの転送先の位置は、「ＷＨ１」の電荷蓄積期間中の照明色である白色照明下で転送されてきて、既に電荷（前記不正電荷）が蓄積された状態となっている。
補正対象の画像データが赤色成分の１ライン分の画像データであっても、照射されている照明色は白色光であるので、補正対象の画像データを生成した電荷がＣＣＤラインセンサ２０Ｒの受光素子２１で蓄積されている間に、ＣＣＤラインセンサ２０Ｒに照射されている赤色光はもちろんのこと、それ以外の青色光及び緑色光によるスミアの発生も考慮する。すなわち、青色光及び緑色光もＣＣＤラインセンサ２０Ｒの電荷転送部ＣＴの遮光膜を透過してスミアの発生に寄与してしまうことを考慮している。
【００５５】
このスミアを発生させる光強度の電荷転送方向での分布を考えるとき、赤色光の成分については、その時点でＣＣＤラインセンサ２０Ｒの受光素子２１で検出中のデータである補正対象の画像データが属する１ライン分の画像データ（「ＳＷＨ１」の赤色成分の出力信号によって得た画像データ）をそのまま利用するのが最も好ましい。
これに対して、青色光及び緑色光については、ＣＣＤラインセンサユニット１３において、各ＣＣＤラインセンサ２０Ｒ，２０Ｇ，２０Ｂは副走査方向（フィルム１の搬送方向）に数ライン程度の間隔をおいて配列されているので、各ＣＣＤラインセンサ２０Ｒ，２０Ｇ，２０Ｂは画像上の異なる位置に対して検出作用しており、各ＣＣＤラインセンサ２０Ｒ，２０Ｇ，２０Ｂから同じタイミングで出力される信号は、副走査方向でわずかに離れた位置（画像上の位置）についての検出信号を出力していることを考慮して選択する必要がある。
【００５６】
従って、例えば、各ＣＣＤラインセンサ２０Ｒ，２０Ｇ，２０Ｂが４ラインピッチで配列され、画像上の同じ位置の画像データをＣＣＤラインセンサ２０Ｒが最も先行して出力するようにフィルム１の搬送方向が設定されていると仮定すると、緑色成分の強度分布のためには「ＳＷＨ５」（図８中では図示せず）の緑色成分の出力信号によって得た１ライン分の画像データを用いることが最も好ましく、又、青色成分の強度分布のためには「ＳＷＨ９」（図８中では図示せず）の青色成分の出力信号によって得た１ライン分の画像データを用いることが最も好ましい。
従って、上記の条件下では、スミアを発生させる光強度の電荷転送方向での分布を求めるための１ライン分の画像データである先行ラインデータとして、本第２実施形態では、「ＳＷＨ１」の赤色成分の出力信号によって得た１ライン分の画像データと、「ＳＷＨ５」の緑色成分の出力信号によって得た１ライン分の画像データと、「ＳＷＨ９」の青色成分の出力信号によって得た１ライン分の画像データとの３つを用いるように特定する。
【００５７】
又、上記「既存電荷の評価」に関して、スミアの発生量を定量化するための補正用データである「先行補正用データ」として、「ＷＨ１」の電荷蓄積期間中の照明色である白色照明下でのスミアの発生量を検出するための「ＡＷＨ１」の信号出力から得たデータを使用する。「ＡＷＨ１」では各ＣＣＤラインセンサ２０Ｒ，２０Ｇ，２０Ｂについての前記追加転送動作での信号が出力されるが、用いるのは当然に補正対象の画像データ（赤色成分）を生成した電荷を転送することになる電荷転送部ＣＴ（ＣＣＤラインセンサ２０Ｒの電荷転送部ＣＴ）についてのものである。具体的な算出方法は、上記第１実施形態と同様であり、見かけ上複数画素分に相当するデータとして得たものの平均値を求めて、電荷転送部ＣＴを転送始端から転送終端まで転送されたときに発生するスミアのデータ値である補正用データ（ここでは、先行補正用データ）とする。
【００５８】
但し、上記第１実施形態と同様に、前記先行ラインデータや前記先行補正用データの特定については、必ずしも、上記に関係に限定されるものではなく、前記先行ラインデータに関しては、補正対象の画像データを生成した照明色と同じ照明色（ここでは、白色光）について出力され且つ画像上での位置が補正対象の画像データの近くに位置する前記同じ照明色での１ライン分の画像データから補正の精度を考慮して選択しても良い。
すなわち、照明色さえ同じであれば、画像上の位置が補正対象の画像データの属するラインと若干位置ずれしても、画像データはそれほど極端に変化するものではないからである。
更に、同様の理由で、前記先行補正用データについても、補正対象の画像データを生成した照明色と同じ照明色（ここでは、白色光）の照明光の照射下で且つ画像上での位置が補正対象の画像データの近くに位置する１ラインにおける前記追加転送動作によって求められた補正用データの何れかを選択しても良い。もちろん、補正対象の画像データを生成した電荷を転送した電荷転送部ＣＴ（ＣＣＤラインセンサ２０Ｒの電荷転送部ＣＴ）についての前記追加転送動作によるものである。
【００５９】
次ぎに、上記「新規蓄積電荷の評価」については、その補正対象の画像データを生成した電荷を受光素子２１から電荷転送部ＣＴへ転送した後、電荷転送部ＣＴにおいて転送しているとき、その転送は「ＩＲ２」の電荷蓄積期間中の照明色である赤外光照明下で行われ、その転送の過程でスミアを発生させる前記不正電荷が蓄積されていく。
そのような不正電荷を生成する光強度の分布を得るには、「ＩＲ２」の電荷蓄積期間においてＣＣＤラインセンサ２０Ｒの受光素子２１上に結像されている画像上の位置（ライン）についての、「ＩＲ２」と同じ照明色（赤外光）での出力信号を用いることになる。
これは、上述のように、各ＣＣＤラインセンサ２０Ｒ，２０Ｇ，２０Ｂが４ラインピッチで配列され、画像上の同じ位置の画像データをＣＣＤラインセンサ２０Ｒが最も先行して出力するようにフィルム１の搬送方向が設定されていると仮定すると、「ＩＲ２」の電荷蓄積期間においてＣＣＤラインセンサ２０Ｒの受光素子２１上に結像されている画像上の位置（ライン）についての赤外光での出力信号は、「ＩＲ２」よりも４ライン分遅れた「ＩＲ６」（図８では不図示）の電荷蓄積期間でＣＣＤラインセンサ２０Ｇの受光素子２１に蓄積される電荷によって生成され、それは、「ＳＩＲ６」（図８では不図示）として出力される。
従って、この「ＳＩＲ６」によって生成された１ライン分の画像データを、上記の光強度の分布を特定するための「後続ラインデータ」として使用するように特定する。
【００６０】
又、上記「新規蓄積電荷の評価」に関して、スミアの発生量を定量化するための補正用データである「後続補正用データ」として、「ＩＲ２」の電荷蓄積期間中の照明色である赤外光照明下でのスミアの発生量を検出するための「ＡＩＲ２」の信号出力から得たデータを使用する。ここでも、もちろん、補正対象の画像データを生成したＣＣＤラインセンサ２０Ｒについての前記追加転送動作によるものである。この「ＡＩＲ２」では、見かけ上複数画素分に相当するデータを出力しており、それらの平均値を求めて、電荷転送部ＣＴを転送始端から転送終端まで転送されたときに発生するスミアのデータ値である補正用データ（ここでは、後続補正用データ）とする。
【００６１】
但し、前記後続ラインデータや前記後続補正用データの特定については、必ずしも、上記に関係に限定されるものではなく、前記後続ラインデータに関しては、補正対象の画像データを生成した電荷を前記電荷転送部にて転送しているときの照明色と同じ照明色（ここでは、赤外光）について出力され且つ画像上での位置が補正対象の画像データの近くに位置する前記同じ照明色での１ライン分の画像データから、補正の精度を考慮して選択しても良い。
すなわち、照明色さえ同じであれば、画像上の位置が補正対象の画像データの属するラインと若干位置ずれしても、画像データはそれほど極端に変化するものではないからである。
更に、同様の理由で、前記後続補正用データについても、補正対象の画像データを生成した電荷を前記電荷転送部にて転送しているときの照明色と同じ照明色（ここでは、赤外光）の照明光の照射下で且つ画像上での位置が補正対象の画像データの近くに位置する１ラインにおける前記追加転送動作によって求められた補正用データから、補正の精度を考慮して選択しても良い。
【００６２】
以上のようにして、前記先行ラインデータ及び先行補正用データ、並びに、前記後続ラインデータ及び後続補正用データに何れのデータを使用するかを特定すると、次ぎに、前記先行ラインデータに基づいて、受光素子２１の並びに沿った前記不正電荷を生成させた光強度の分布を示す先行光量分布データを求め、更に、前記後続ラインデータに基づいて、受光素子２１の並びに沿った前記不正電荷を生成させた光強度の分布を示す後続光量分布データを求める（ステップ＃２）。
この先行光量分布データは、スミアを発生させる前記不正電荷の生成に実効的に寄与する光量分布であるが、本第２実施形態では、上記の事例において、基となる前記先行ラインデータとして、「ＳＷＨ１」の赤色成分の出力信号によって得た１ライン分の画像データと、「ＳＷＨ５」の緑色成分の出力信号によって得た１ライン分の画像データと、「ＳＷＨ９」の青色成分の出力信号によって得た１ライン分の画像データとの３つを用いる。
すなわち、この事例においては、先行光量分布データ又は後続光量分布データのうちの白色光についての光量分布データは、先行光量分布データの方であるので、その先行光量分布データを、受光素子２１のライン（ＣＣＤラインセンサ２０Ｒ，２０Ｇ，２０Ｂ）が検出を担当する色成分に対応する先行ラインデータの他に、他の２色の色成分に対応する先行ラインデータをも含めた状態で算出する。尚、白色光による光量分布データが後続光量分布データである場合には、補正対象の画像データの色成分に対応する後続ラインデータの他に、他の２色の色成分に対応する後続ラインデータをも含めた状態で算出する。
【００６３】
これら３つの１ライン分の画像データは、夫々均等に前記不正電荷の生成に寄与するのでなく、夫々寄与する割合が異なるものである。
そこで、この寄与する割合を予め実験により求めておき、その寄与の割合によって、スミアを発生させる前記不正電荷の生成に実効的に寄与する光量分布を求める。
この寄与の割合は、例えば、ＣＣＤラインセンサ２０Ｒに対して、主走査方向に均等で且つ同じ光量の光を、青色，緑色及び赤色に順次に切換えて、夫々の照明色での前記追加転送動作でスミアの発生量を検出し、それらの比率を求めることで得られ、他のＣＣＤラインセンサ２０Ｇ及びＣＣＤラインセンサ２０Ｂについても同様に求める。
【００６４】
例えば、ＣＣＤラインセンサ２０Ｒについての上記の寄与の割合が、ＷＢ：ＷＧ：ＷＲであったとして、「ＳＷＨ１」の赤色成分の出力信号によって得た１ライン分の画像データを「Ｄｒ（ｉ）」（ｉは、受光素子２１の並び位置）、「ＳＷＨ５」の緑色成分の出力信号によって得た１ライン分の画像データを「Ｄｇ（ｉ）」（ｉは、受光素子２１の並び位置）、「ＳＷＨ９」の青色成分の出力信号によって得た１ライン分の画像データを「Ｄｂ（ｉ）」（ｉは、受光素子２１の並び位置）とすると、前記先行光量分布データは、ＷＲ×Ｄｒ（ｉ）＋ＷＧ×Ｄｇ（ｉ）＋ＷＢ×Ｄｂ（ｉ）で求まる。すなわち、各データ（Ｄｒ（ｉ），Ｄｇ（ｉ），Ｄｂ（ｉ））に色成分毎に設定した上記の寄与の割合を乗算したものを足し合わせて求めている。
この考え方は、前記後続ラインデータが、赤色成分の出力信号によって得た１ライン分の画像データ，緑色成分の出力信号によって得た１ライン分の画像データ及び青色成分の出力信号によって得た１ライン分の画像データにて構成される場合も同様である。
【００６５】
補正対象の画像データが「ＳＷＨ１」の出力信号によって生成されたうちの赤色成分の１ライン分の画像データに属する何れかの画像データである場合の事例では、前記後続ラインデータが「ＳＩＲ６」によって生成された１ライン分の画像データのみであるので、前記後続ラインデータをそのまま後続光量分布データとして使用できる。これは、先行ラインデータが赤外光の照射下で生成された電荷による１ライン分の画像データのみであるときも同様である。
以上で、１ライン分の画像データの補正のために必要な情報が揃ったので、次ぎに、各画像データ毎の処理に移る。
【００６６】
各画像データ毎の処理としては、先ず、上記「既存電荷の評価」に関して、前記先行補正用データと、前記先行光量分布データとに基づいて、受光素子２１から電荷転送部ＣＴに電荷を転送する際に、既に電荷転送部ＣＴにおける転送先の位置に蓄積されていた電荷による既存信号成分を求める（ステップ＃３）。
この既存信号成分は、前記先行光量分布データにおける総積算信号量に対する前記先行光量分布データにおける電荷転送部ＣＴの転送始端側の端部位置から並び位置情報（補正対象の画像データを生成した受光素子２１の並び位置）で特定される位置までの積算信号量の割合と前記先行補正用データとによって求める。
図９（ａ）に例示する前記先行光量分布データによって具体的に説明すると、前記先行光量分布データが図９（ａ）の曲線Ｗ３で示す分布である場合において、前記先行補正用データは、電荷転送部ＣＴの搬送始端から搬送終端まで、すなわち、曲線Ｗ３の全範囲の光を受けて発生したスミアの量を示している。
【００６７】
補正対象の画像データを生成した受光素子２１の並び位置が「Ｐ」であるとき、その位置の受光素子２１から電荷転送部ＣＴへ電荷を転送するとき、転送先には、転送始端側の端部位置から「Ｐ」までの範囲の光を受けてスミアを発生させる前記不正電荷が発生していることになる。
従って、前記既存信号成分Ｓ３は、曲線Ｗ３の全範囲（転送始端位置から転送終端位置まで）の積分値ＤＴ３に対する斜線を付した部分の積分値ＰＴ３の割合に、前記先行補正用データのデータ値Ｃ３を乗算することによって求まる。
すなわち、Ｓ３＝Ｃ３×ＰＴ３／ＤＴ３  となる。
計算上は、ＤＴ３は、前記先行光量分布データの１ライン分の全データの総和をとって、総積算信号量を求めれば良く、又、ＰＴ３は、前記先行光量分布データのうち、電荷転送部ＣＴの転送始端側の端部位置から補正対象の画像データを生成した受光素子の並び位置「Ｐ」までのデータの総和をとって、その区間の積算信号量を求めれば良い。
【００６８】
次ぎに、上記「新規蓄積電荷の評価」については、前記後続補正用データと、前記後続光量分布データとに基づいて、電荷転送部ＣＴにおいて転送される過程で新たに蓄積される電荷による追加信号成分を求める（ステップ＃４）。
この追加信号成分は、前記後続光量分布データにおける総積算信号量に対する前記後続光量分布データにおける受光素子２１（補正対象の画像データを生成した受光素子２１の並び位置）の並び位置情報で特定される位置から電荷転送部ＣＴの転送後端側の端部位置までの積算信号量の割合と前記後続補正用データとによって求める。
図９（ｂ）に例示する前記後続光量分布データによって具体的に説明すると、前記後続光量分布データが図９（ｂ）の曲線Ｗ４で示す分布である場合において、前記後続補正用データは、電荷転送部ＣＴの搬送始端から搬送終端まで、すなわち、曲線Ｗ４の全範囲の光を受けて発生したスミアの量を示している。
【００６９】
補正対象の画像データを生成した受光素子２１の並び位置が「Ｐ」であるとき、その位置で受光素子２１から正規に電荷を受け取った電荷転送部ＣＴが、その電荷を転送するとき、位置「Ｐ」から転送終端位置までの範囲の光を受けてスミアを発生させる前記不正電荷が発生することになる。
従って、前記追加信号成分Ｓ４は、曲線Ｗ４の全範囲（転送始端位置から転送終端位置まで）の積分値ＤＴ４に対する斜線を付した部分の積分値ＰＴ４の割合に、前記後続補正用データのデータ値Ｃ４を乗算することによって求まる。
すなわち、Ｓ４＝Ｃ４×ＰＴ４／ＤＴ４  となる。
計算上は、ＤＴ４は、前記後続光量分布データの１ライン分の全データの総和をとって、総積算信号量を求めれば良く、又、ＰＴ４は、前記後続光量分布データのうち、補正対象の画像データを生成した受光素子の並び位置「Ｐ」から電荷転送部ＣＴの転送終端側の端部位置までのデータの総和をとって、その区間の積算信号量を求めれば良い。
【００７０】
このようにして求めた、前記既存信号成分Ｓ３と前記追加信号成分Ｓ４とを、補正対象の画像データから減算することで、スミアのデータ成分を除去できる（ステップ＃５）。
尚、以上の処理では、暗電流等により発生するオフセット成分を無視しているが、データ中にそのようなオフセット成分が存在するときは、適宜にそれらのオフセット成分を除去して計算する。
以上の処理を１ライン分の画像データの夫々について繰り返して（ステップ＃６）、１ライン分の画像データの補正処理が完了すると、更に次ぎのラインの補正処理へ移行し（ステップ＃７）、全ての色成分の全てのラインについてすなわち１つの画像全体について補正処理が完了すると処理を終了する。
【００７１】
以上は、補正対象の画像データが、白色光の照明下において、ＣＣＤラインセンサ２０Ｒにて生成された画像データのスミアを補正する場合を例示して説明しているが、それとは逆に、補正対象の画像データが、赤外光の照明下において、ＣＣＤラインセンサ２０Ｇにて生成された画像データである場合に、図６のステップ＃１における前記先行ラインデータ，前記後続ラインデータ、前記先行補正用データ及び前記後続補正用データの特定について、簡単に説明する。
図８の最下段における「ＳＩＲ２」の出力信号によって生成された赤外光成分の１ライン分の画像データに属する何れかの画像データを補正対象とする場合を例示して説明する。
このときには、上記「既存電荷の評価」に関しては、その補正対象の画像データを生成した電荷（「ＩＲ２」の電荷蓄積期間で蓄積された電荷）を受光素子２１から電荷転送部ＣＴへ正規に転送しようとするとき、電荷転送部ＣＴの転送先の位置は、「ＩＲ２」の電荷蓄積期間中の照明色である赤外光照明下で転送されてきて、既に電荷（前記不正電荷）が蓄積された状態となっている。
従って、前記先行ラインデータとしては、「ＩＲ２」の電荷蓄積期間中でＣＣＤラインセンサ２０Ｇの受光素子２１にて検出している電荷による出力信号である「ＳＩＲ２」によって生成された１ライン分の画像データを使用する。
又、上記「既存電荷の評価」に関して、スミアの発生量を定量化するための補正用データである「先行補正用データ」として、「ＩＲ２」の電荷蓄積期間中の照明色である赤外光照明下でのスミアの発生量を検出するための「ＡＩＲ２」の信号出力から得たデータを使用する。用いるのは当然に補正対象の画像データ（赤色成分）を生成した電荷を転送することになる電荷転送部ＣＴ（ＣＣＤラインセンサ２０Ｇの電荷転送部ＣＴ）についてのものである。
【００７２】
次ぎに、上記「新規蓄積電荷の評価」については、その補正対象の画像データを生成した電荷を受光素子２１から電荷転送部ＣＴへ転送した後、電荷転送部ＣＴにおいて転送しているとき、その転送は「ＷＨ２」の電荷蓄積期間中の照明色である白色光照明下で行われ、その転送の過程でスミアを発生させる前記不正電荷が蓄積されていく。
そのような不正電荷を生成する光強度の分布を得るには、「ＷＨ２」の電荷蓄積期間においてＣＣＤラインセンサ２０Ｇの受光素子２１上に結像されている画像上の位置（ライン）についての光強度の分布を、青色光，緑色光及び赤色光の各成分夫々について考慮する必要があり、前記後続ラインデータも夫々の色成分について存在する。
フィルム１の搬送方向や、各ＣＣＤラインセンサ２０Ｒ，２０Ｇ，２０Ｂの配列状態が上述の事例と共通であるとすると、問題とする画像上の位置（ライン）の画像データは、同じ画像位置のデータ出力が４ライン遅れる青色光については「ＳＷＨ６」（図８では不図示）の青色信号成分により生成された１ライン分の画像データを前記後続ラインデータとして使用し、緑色光については赤外光と同じくＣＣＤラインセンサ２０Ｇで検出しているので「ＳＷＨ２」の緑色信号成分により生成された１ライン分の画像データを前記後続ラインデータとして使用し、４ライン分先行する赤色光については、「ＳＷＨ−２」（図８では不図示）の赤色信号成分により生成された１ライン分の画像データを前記後続ラインデータとして使用する。
【００７３】
又、上記「新規蓄積電荷の評価」に関して、スミアの発生量を定量化するための補正用データである「後続補正用データ」として、「ＷＨ２」の電荷蓄積期間中の照明色である白色照明下でのスミアの発生量を検出するための「ＡＷＨ２」の信号出力から得たデータを使用する。ここでも、もちろん、補正対象の画像データを生成したＣＣＤラインセンサ２０Ｇについての前記追加転送動作によるものである。
尚、前記先行ラインデータや前記先行補正用データ、更には、前記後続ラインデータや前記後続補正用データの特定については、同じ照明色であれば、画像上での位置が補正対象の画像データから多少ずれても良いのは上述の通りである。
【００７４】
〔別実施形態〕
以下、本発明の別実施形態を列記する。
（１）上記実施の形態では、画像読取装置ＦＳの光源ＬＳとして、発光ダイオードを備えて照明色を切換える場合を例示しているが、ハロゲンランプ等の白色光源からの出射光の光路中に各種のカラーフィルタを出退自在に配置して照明色を切換えるように構成する等、照明色を切換えるための構成は種々に変更可能である。
（２）上記実施の形態では、画像読取装置ＦＳとしてフィルム１の画像を読取る場合を例示しているが、フラットベッドスキャナ等の各種の画像読取装置に本発明を適用できる。
（３）上記第１実施形態では、照明色を、赤外光，青色光，緑色光及び赤色光に順次に繰り返して切換える場合を例示しているが、青色光，緑色光及び赤色光に順次に繰り返して切換えるように構成しても良い。
（４）上記第２実施形態は、ＣＣＤラインセンサ２０Ｇによって本来の緑色光成分の検出と赤外光成分の検出とを行っているが、ＣＣＤラインセンサ２０ＲあるいはＣＣＤラインセンサ２０Ｂに赤外光成分の検出を兼用させても良い。
（５）上記第２実施形態では、先行光量分布データ又は後続光量分布データのうちの白色光についての光量分布データを、受光素子２１のラインが検出を担当する色成分に対応する先行ラインデータ又は後続ラインデータの他に、他の２色の色成分に対応する先行ラインデータ又は後続ラインデータをも含めて、それらのデータに色成分毎に設定した寄与の割合を乗算したものを足し合わせて求める場合を例示しているが、受光素子２１のラインが検出を担当する色成分に対応する先行ラインデータ又は後続ラインデータだけを利用して先行光量分布データ又は後続光量分布データを求めるように構成しても良い。
【図面の簡単な説明】
【００７５】
【図１】本発明の実施の形態にかかる写真プリントシステムの概略ブロック構成図
【図２】本発明の実施の形態にかかるＬＥＤ光源装置の概略構成図
【図３】本発明の第１実施形態にかかる光センサの概略構成図
【図４】本発明の第１実施形態にかかるタイミングチャート
【図５】本発明の第１実施形態にかかる信号説明図
【図６】本発明の実施の形態にかかるフローチャート
【図７】本発明の第２実施形態にかかる光センサの概略構成図
【図８】本発明の第２実施形態にかかるタイミングチャート
【図９】本発明の第２実施形態にかかる信号説明図
【符号の説明】
【００７６】
ＣＴ  電荷転送部
ＦＳ  画像読取装置
ＬＲ  受光部
ＬＳ  光源
ＰＳ  光センサ
２１  受光素子
５１  補正用データ演算部
５２  補正処理演算部
【図１】
2007201553.tif 000003
【図２】
2007201553.tif 000004
【図３】
2007201553.tif 000005
【図４】
2007201553.tif 000006
【図５】
2007201553.tif 000007
【図６】
2007201553.tif 000008
【図７】
2007201553.tif 000009
【図８】
2007201553.tif 000010
【図９】
2007201553.tif 000011